(57)【要約】      （修正有）【課題】肌の吸引されている部分に対して、より多くの電流を流すことができる美容処理装置を提供する。【解決手段】美容処理装置１が、一端側に使用者の肌と接触し開口が形成された開口部を有し他端側に排気口を有する中空状の筐体１００と、前記排気口に接続される排気ポンプと、前記筐体の中空部の内壁面から前記開口の径方向に沿う方向に向かって突設された第１の電極と、前記第１の電極と電気的に接続される第２の電極と、前記第１及び第２の電極に対して給電を行う給電部と、を具備する。【選択図】図１
2016016030.tif 000002
【特許請求の範囲】
【請求項１】
一端側に使用者の肌と接触し開口が形成された開口部を有し他端側に排気口を有する中空状の筐体と、
前記排気口に接続される排気ポンプと、
前記筐体の中空部の内壁面から前記開口の径方向に沿う方向に向かって突設された第１の電極と、
前記第１の電極と電気的に接続される第２の電極と、
前記第１及び第２の電極に対して給電を行う給電部と、
を具備することを特徴とする美容処理装置。
【請求項２】
前記第１の電極が、棒状に形成され、
当該第１の電極の一端部と他端部は前記内壁面の異なる位置にそれぞれ位置することを特徴とする請求項１に記載の美容処理装置。
【請求項３】
前記第２の電極が、前記第１の電極と対応する形状を有し、前記第２の電極は、前記開口の径方向に前記第１の電極と並行するように前記筐体の内壁面から突設されること
を特徴とする請求項２に記載の美容処理装置。
【請求項４】
前記第２の電極が、前記開口の縁部に配設されること
を特徴とする請求項１または２のいずれか１項に記載の美容処理装置。
【請求項５】
前記排気口と前記内壁面との間に形成された壁部材をさらに具備すること
を特徴とする請求項１ないし４のいずれか１項に記載の美容処理装置。
【請求項６】
前記内壁面から複数の前記第１の電極が突設され、前記給電部は、複数の内の一対の前記第１の電極または、前記複数の内の１の第１の電極と前記第２の電極に対して給電を行うこと
を特徴とする請求項１ないし５のいずれか１項に記載の美容処理装置。
【請求項７】
前記第１の電極の端部を保持する保持部と、前記保持部によって保持された前記第１の電極を前記開口部の深さ方向または前記開口の径方向に沿って移動させるための溝部とを備える移動機構をさらに具備すること
を特徴とする請求項１ないし６のいずれか１項に記載の美容処理装置。
【発明の詳細な説明】
【技術分野】
【０００１】
本発明の実施形態は、美容処理装置に関する。
【背景技術】
【０００２】
底面に開口が形成され、当該底面に平面電極が配置された吸引カップと、当該吸引カップと接続されたエアーポンプを備える生体刺激装置が知られている（例えば、特許文献１参照）。
このような生体刺激装置では、エアーポンプの駆動によって、底面と接触した肌が、吸引カップ内部に吸引される。この結果、ユーザの皮膚、皮下組織、筋肉が刺激されて、皮下脂肪の燃焼が促される。
さらに、底面に配置された平面電極によって肌にパルス性の電気を流し、筋肉を収縮運動（ＥＭＳ：Ｅｌｅｃｔｒｉｃａｌ  Ｍｕｓｃｌｅ  Ｓｔｉｍｕｌａｔｉｏｎ）させることにより、リンパ液の流れを促進させて疲労回復等のトリートメントを行ったり、筋肉の強化を図ったりすることができる。
【先行技術文献】
【特許文献】
【０００３】
【特許文献１】特開２０１３−０３９４４７号公報
【発明の概要】
【発明が解決しようとする課題】
【０００４】
底面に配置された平面電極によって肌に電気を流す場合、肌の吸引されている部分と、吸引されていない部分の両方に電流が分散して流れることが多い。肌の吸引されている部分に対して、より多くの電流を流し、肌の吸引されている部分の皮下脂肪の燃焼を向上させることが望まれている。
本発明は、係る課題を解決するためになされたもので、肌の吸引されている部分に対して、より多くの電流を流すことができる美容処理装置を提供することを目的とする。
【課題を解決するための手段】
【０００５】
本発明の実施形態の美容処理装置は、一端側に使用者の肌と接触し開口が形成された開口部を有し他端側に排気口を有する中空状の筐体と、前記排気口に接続される排気ポンプと、前記筐体の中空部の内壁面から前記開口の径方向に沿う方向に向かって突設された第１の電極と、前記第１の電極と電気的に接続される第２の電極と、前記第１及び第２の電極に対して給電を行う給電部とを具備する。
【図面の簡単な説明】
【０００６】
【図１】第１の実施形態に係る美容処理装置１の斜視図。
【図２】図１のＡ−Ａ断面図。
【図３】第１の実施形態に係る吸引カップ１００を拡大して示す斜視図。
【図４】図３の切断線Ｂ−Ｂに沿う、吸引カップ１００の一部の断面図。
【図５】第１の実施形態に係る制御基板１４０の機能を示すブロック図。
【図６】美容処理装置１の使用方法を説明する概念図。
【図７】第２の実施形態に係る吸引カップ２００を示す斜視図。
【図８】第３の実施形態に係る吸引カップ３００を示す斜視図。
【図９】第３の実施形態に係る制御基板３４０の機能を示すブロック図。
【図１０】第４の実施形態に係る吸引カップ４００の一部を拡大して示す斜視図。
【図１１】第４の実施形態に係る保持筐体４５０ａを正面から見た正面図。
【図１２】図１１のＣ−Ｃ断面図。
【図１３】図１０の切断線Ｄ−Ｄに沿った、ローラ電極４１２の断面図。
【図１４】ローラ電極４１２が移動することを説明する概略図。
【図１５】ローラ電極４１２及び保持筐体４５０ａ〜４５０ｆの変更例を示す概略図。
【０００７】
以下、図面を参照して、本発明の実施形態を詳細に説明する。
（第１の実施形態）
図１は、第１の実施形態に係る美容処理装置１の斜視図である。図２は、図１のＡ−Ａ断面図である。図３は、第１の実施形態に係る吸引カップ１００を拡大して示す斜視図である。図４は、図３の切断線Ｂ−Ｂに沿う吸引カップ１００の一部の断面図である。
【０００８】
図１及び図２に示すように、この実施形態に係る美容処理装置１は、吸引カップ１００及び本体１２０を備えている。美容処理装置１は、ユーザの肌に例えば５［Ｈｚ］〜１００［ｋＨｚ］程度の低周波電流を流すことができる。以後、この低周波電流をＥＭＳ電流と称す。また、低周波電流を肌に流すための低周波電圧をＥＭＳ電圧と称す。
【０００９】
（吸引カップ１００について）
図３、４に示すように吸引カップ１００は、枠体１１０、カップ本体１１１、ローラ電極１１２、リング電極１１３、電極１１４ａ，１１４ｂ、固定部１１５ａ，１１５ｂ及び電気配線１１６ａ，１１６ｂを有する。
【００１０】
吸引カップ１００は、プラスチックを射出成形することにより所望の形状に形成できる。吸引カップ１００は、インサート成形によって形成することが望ましい。吸引カップ１００をインサート成形によって形成することにより、樹脂部分と金属部分とを一つの工程で一体的に形成することができる。
例えば、枠体１１０を形成するときに、同時に電気配線１１６ａ，１１６ｂを枠体１１０内部に配設させることができる。枠体１１０とカップ本体１１１も一体的に形成することができる。
【００１１】
枠体１１０は、上面部１１０ａ、下面部１１０ｂ及び柱部１１０ｃ，１１０ｄを有する。
上面部１１０ａは、略楕円形状を有する。上面部１１０ａの略中央部には、略正円状の貫通孔１１０ｅが形成されている。上面部１１０ａの内部または表面には、電気配線１１６ａ，１１６ｂの一部が配設される。
上面部１１０ａの表面には、上面部１１０ａの肉厚方向に沿って、電極保持壁１１０ｆ及び１１０ｇが突設されている。
【００１２】
電極保持壁１１０ｆ及び１１０ｇは、貫通孔１１０ｅを挟んで互いに対向して配置される。電極保持壁１１０ｆ及び１１０ｇには、それぞれ電極１１４ａ及び１１４ｂが挿入される。電極１１４ａ及び１１４ｂは、金属で形成されている。電極１１４ａは電気配線１１６ａと接続する。電極１１４ｂは、電気配線１１６ｂと接続する。
【００１３】
下面部１１０ｂは、上面部１１０ａよりも大きな略楕円形状を有する。下面部１１０ｂは、上面部１１０ａと同軸的に配置される。下面部１１０ｂの略中央部には、略楕円形状の貫通孔１１０ｈが形成されている。
【００１４】
柱部１１０ｃ及び１１０ｄは、上面部１１０ａと下面部１１０ｂを接続する。柱部１１０ｃ及び１１０ｄは、それぞれ上面部１１０ａの外周部から下面部１１０ｂの貫通孔１１０ｈの内部に向かって設けられる。
【００１５】
カップ本体１１１は、透明または半透明のプラスチックである。カップ本体１１１を透明または半透明に形成することによって、カップ本体１１１内に吸引された肌の状態をユーザが目視することができる。
【００１６】
図２に示すようにカップ本体１１１は、内部が空洞の筒体である。カップ本体１１１は、下部から上部にかけてそれぞれ順に配置された胴体部１１１ａ、ドーム部１１１ｂ及び係合部１１１ｃを有する。
カップ本体１１１は、略釣鐘形状を有する。カップ本体１１１は、胴体部１１１ａから係合部１１１ｃにかけて、外形が階段状に縮径する。胴体部１１１ａの下部には、肌をカップ本体１１１内に吸引するための開口１１１ｄが形成されている。カップ本体１１１の内部には、壁部１１１ｅが形成される。
【００１７】
ドーム部１１１ｂは、ドーム形状を有する。ドーム部１１１ｂは、胴体部１１１ａの上面部の略中央に位置する。ドーム部１１１ｂは、胴体部１１１ａの長手方向に沿って外側に向かって突設される。ドーム部１１１ｂは、枠体１１０の貫通孔１１０ｅから突出する（図３参照）。
係合部１１１ｃは、ドーム部１１１ｂの先端部に位置する。係合部１１１ｃには、ドーム部１１１ｂまで貫通する排気口１１１ｆが形成される。
係合部１１１ｃは、係止部１１１ｇを有する。係止部１１１ｇは、例えばねじ山である。係止部１１１ｇによって、吸引カップ１００を本体１２０に固定することができる。
【００１８】
壁部１１１ｅは、胴体部１１１ａとドーム部１１１ｂの境界に形成される。壁部１１１ｅは、カップ本体１１１の長手方向に沿って、開口１１１ｄ方向に向かって突設される。壁部１１１ｅによって、胴体部１１１ａを伝って流れた液体（例えば、美容処理を行うときに使用されるジェル状の潤滑剤）が、排気口１１１ｆに入り込むことを防止することができる。
【００１９】
図４に示すように、ローラ電極１１２は、本体部１１２ａ、軸部１１２ｂ，１１２ｃ及び突部１１２ｄ，１１２ｅを有する。ローラ電極１１２は、肌にＥＭＳ電流を流すための電極である。ローラ電極１１２は、円柱形状を有する。ローラ電極１１２は、金属によって形成される。
【００２０】
ローラ電極１１２は、カップ本体１１１内に配置される。詳細には、ローラ電極１１２は、柱部１１０ｃから柱部１１０ｄにかけて、貫通孔１１０ｈを横断するように配置される。ローラ電極１１２は、軸ａｘを回転軸として、回転自在に設けてもよいし、回転しないように設けてもよい。
【００２１】
本体部１１２ａ、軸部１１２ｂ及び軸部１１２ｃはそれぞれ一体的に形成されている。
本体部１１２ａは、肌と接触する。軸部１１２ｂ，１１２ｃは、本体部１１２ａの表面から、本体部１１２ａの長手方向に沿って、外側に向かって突設される。軸部１１２ｃは、軸部１１２ｂと反対側に設けられる。
軸部１１２ｂ，１１２ｃは、カップ本体１１１及び柱部１１０ｄを貫通する。軸部１１２ｂ，１１２ｃが固定部１１５ａ，１１５ｂによって保持されることで、ローラ電極１１２が、カップ本体１１１に固定される。
【００２２】
突部１１２ｄは、軸部１１２ｂの先端側に設けられる。突部１１２ｄは、本体部１１２ａの長手方向に直交するように、軸部１１２ｂの外周面から外側に向かって突設される。同様に、突部１１２ｅは、軸部１１２ｃの先端側に設けられる。突部１１２ｅは、本体部１１２ａの長手方向に直交するように、軸部１１２ｃの外周面から外側に向かって突設される。
突部１１２ｄ，１１２ｅによって、軸部１１２ｂ，１１２ｃが、固定部１１５ａ，１１５ｂから脱落してしまうことを防止することができる。
【００２３】
次にローラ電極１１２の配置位置について具体的に説明する。ローラ電極１１２は、吸引カップ１００の底面からわずかに高い位置（図４の高さＨ１参照）に配置されることが望ましい。高さＨ１は、リング電極１１３の底面からローラ電極１１２の本体部１１２ａの表面までの最短距離を意味する。
ローラ電極１１２は、例えば、高さＨ１が、５〜１０［ｍｍ］となるように配置されることが望ましい。高さＨ１を５〜１０［ｍｍ］とすることで、肌に電流を流したときに、ユーザがピリピリとした不快感を覚えることを低減することができる。
【００２４】
リング電極１１３は、ローラ電極１１２と対となる電極である。リング電極１１３は、リング形状を有する。リング電極１１３は、枠体１１０の下面部１１０ｂと対応して、略楕円形状に形成される。リング電極１１３は、下面部１１０ｂの底面側に配設される。
【００２５】
電気配線１１６ａ，１１６ｂは、例えば、薄い（または細い）金属プレートである。電気配線１１６ａ，１１６ｂは、金属ペースト、電気ケーブルまたはＦＰＣ（Ｆｌｅｘｉｂｌｅ  ｐｒｉｎｔｅｄ  ｃｉｒｃｕｉｔｓ）であってもよい。
電気配線１１６ａ，１１６ｂは、枠体１１０内に配設される。電気配線１１６ａ，１１６ｂは、枠体１１０の表面に這わせるように設けてもよい。
【００２６】
電気配線１１６ａは、電極１１４ｂを介して、ローラ電極１１２の軸部１１２ｂを本体１２０が有する制御基板１４０に接続する。同様に電気配線１１６ｂは、電極１１４ａを介して、リング電極１１３を制御基板１４０に接続する。電気配線１１６ｂは、ローラ電極１１２の軸部１１２ｃと接触しないように軸部１１２ｃを迂回する。
【００２７】
（本体１２０について）
次に図１及び図２を参照して本体１２０について説明する。
本体１２０は、筐体１２１、表示部１２２、ボタン群１２３、エアーポンプ１２４、電磁弁装置１２５、三又管１２６、フィルタ１２７及び制御基板１４０を有している。
【００２８】
表示部１２２、ボタン群１２３、エアーポンプ１２４、電磁弁装置１２５、三又管１２６及び制御基板１４０は、図示を省略した保持具にそれぞれ保持される。本体１２０には、電池（燃料電池や充電可能な二次電池など）が収容されることもある。
【００２９】
筐体１２１は、上面１２１ａ、側面１２１ｂ及び底面１２１ｃを有する。筐体１２１は、略円筒形状を有する。筐体１２１は、例えばプラスチックを射出成形することにより形成される。筐体１２１は、上面１２１ａから底面１２１ｃにかけて徐々に縮径している。このことによって、デザイン性が向上するとともに、ユーザが筐体１２１を持ちやすくなる。
【００３０】
上面１２１ａには、充電端子１２１ｄ及び空気孔１２１ｅが形成されている。
充電端子１２１ｄには、ここでは図示を省略したＡＣアダプタが接続される。空気孔１２１ｅは、筐体１２１内の空気を排気する。空気孔１２１ｅから、筐体１２１外の空気が、筐体１２１内に流入することもある。
【００３１】
側面１２１ｂには、表示部１２２及びボタン群１２３が配設される。
底面１２１ｃには、開口１２１ｆが形成される。開口１２１ｆには、吸引カップ１２０を機械的及び電気的に接続するための吸引カップ接続部１３０が形成される。
【００３２】
表示部１２２には、複数のＬＥＤや液晶表示パネルが配置される。表示部１２２は、例えば、美容処理装置１の電源のＯＮまたはＯＦＦを表示する。表示部１２２は、二次電池の充電状態を表示することもできる。
【００３３】
ボタン群１２３は、ここでは、機械的なスイッチである。ボタン群１２３は、液晶パネルに表示されたタッチ式のスイッチであってもよい。
ボタン群１２３を操作することで、美容処理装置１の動作を制御することができる。詳細には、ボタン群１２３によって、肌に流れるＥＭＳ電流の強弱を変更できる。ボタン群１２３によって美容処理装置１の主電源のＯＮ及びＯＦＦを切り替えることができる。ボタン群１２３によって、エアーポンプ１２４の動作を強制的に停止させることができる。
【００３４】
吸引カップ接続部１３０は、当接用凹部１３１、吸引カップ固定部１３２、フィルタ収容部１３３、管挿入部１３４、電気接点１３５ａ，１３５ｂを有する。
【００３５】
当接用凹部１３１、吸引カップ固定部１３２、フィルタ収容部１３３及び管挿入部１３４は連通している。電気接点１３５ａ，１３５ｂは、吸引カップ１００の電極１１４ａ，１１４ｂと制御基板１４０とを接続するための電気的接点である。
当接用凹部１３１は、吸引カップ１００のドーム部１１１ｂ及び電極１１４ａ，１１４ｂの外形と対応する。
【００３６】
吸引カップ固定部１３２は、吸引カップ１００の係合部１１１ｃと対応する係止部１３２ａを有する。係止部１３２ａは、例えばねじ山である
係止部１３２ａと係止部１１１ｇが係止された結果、吸引カップ１００の排気口１１１ｆがフィルタ収容部１３３に接続する。この結果、三又管１２６を介して、吸引カップ１００の内部と、エアーポンプ１２４及び電磁弁装置１２５とがそれぞれ接続される。
【００３７】
フィルタ収容部１３３には、フィルタ１２７が交換可能に収容される。フィルタ１２７はメッシュ状に形成されている。フィルタ１２７によってゴミや皮脂，体毛等の異物が選別される。結果として、異物により三又管１２６が詰まってしまうことを防止することができる。
管挿入部１３４には三又管１２６の一端が接続される。
【００３８】
エアーポンプ１２４は、吸引カップ接続部１３０に接続された吸引カップ１００内の空気を吸引する（図２の矢印Ａｉｒ１及びＡｉｒ２参照）。エアーポンプ１２４は、吸引した空気を筐体１２１の内部に排出する（矢印Ａｉｒ３参照）。エアーポンプ１２４が動作中に吸引カップ１００の開口１１１ｄを塞ぐことで、吸引カップ１００内が減圧された状態になる。
【００３９】
電磁弁装置１２５は、通常時は閉じている。電磁弁装置１２５は、所定時間毎または、ボタン群１２３が押されたことに対応して、内部に設けられた弁（図示せず）が開状態となる。
【００４０】
吸引カップ１００内が減圧状態のときに、エアーポンプ１２４が停止し、電磁弁装置１２５が開状態となった場合、電磁弁装置１２５内に筐体１２１内の空気が流入する（矢印Ａｉｒ４参照）。電磁弁装置１２５内に流入した空気は、三又管１２６を介して吸引カップ１００内に流れる（矢印Ａｉｒ５参照）。この結果、吸引カップ１００は減圧状態から解放される。
【００４１】
次に図５を用いて、制御基板１４０について説明する。図５は、制御基板１４０の機能を示すブロック図である。
図５に示すように制御基板１４０は、動作制御部１４１、操作受付部１４２、表示制御部１４３、タイマー部１４４、メモリ部１４５、電源制御部１４６及びこれらを制御する制御部１４７を有する。
【００４２】
制御基板１４０は、エアーポンプ１２４及び電磁弁装置１２５の駆動のＯＮ・ＯＦＦの制御を行う。制御基板１４０は、ローラ電極１１２及びリング電極１１３へのＥＭＳ電圧の印加のＯＮ・ＯＦＦを制御する。
【００４３】
動作制御部１４１〜制御部１４７は、電子素子（例えば、コンデンサ、コイル、ＩＣチップなど）によって構成される。
動作制御部１４１は、ＥＭＳ駆動部１４１ａ、電磁弁駆動部１４１ｂ及びエアーポンプ駆動部１４１ｃを備える。
【００４４】
ＥＭＳ駆動部１４１ａは、ＤＣ−ＡＣ変換機能を有する。ＥＭＳ駆動部１４１ａは、ＥＭＳ電圧をローラ電極１１２及びリング電極１１３に印加するための交流信号を生成する発振回路や昇圧回路などを備える。
ＥＭＳ駆動部１４１ａは、電源制御部１４６から得られる５［Ｖ］の直流電源に基づいてＤＣ−ＡＣ変換を行う。このとき、ＥＭＳ駆動部１４１ａは、直流電源を１０〜１５０［Ｖ］の範囲で昇圧することができる。
【００４５】
なお、ここで示す昇圧後の電圧の値は、Ｐｅａｋ−ｔｏ−Ｐｅａｋ−Ｖａｌｕｅである。例えば、６０［Ｖ］の交流電圧は、最大値が＋３０［Ｖ］から−３０［Ｖ］となる交流電圧である。この電圧の最大値によって肌に流れるＥＭＳ電流の強さが変化する。
【００４６】
ＥＭＳ駆動部１４１ａは、ＥＭＳ電圧を電気接点１３５ａ，１３５ｂに印加する。結果としてローラ電極１１２及びリング電極１１３にＥＭＳ電圧が印加される。
なお、ＥＭＳ駆動部１４１ａは、電極１１４ａ，１１４ｂに対してパルス状の電圧を印加するようにしてもよい。
【００４７】
電磁弁駆動部１４１ｂは、電磁弁装置１２５の動作のＯＮ・ＯＦＦを制御する。すなわち、電磁弁駆動部１４１ｂは、電磁弁装置１２５が有する弁を開状態または閉状態にする。
エアーポンプ駆動部１４１ｃは、エアーポンプ１２４の動作のＯＮ・ＯＦＦを制御する。
操作受付部１４２は、ボタン群１２３の押下操作を検知する。
【００４８】
表示制御部１４３は、表示部１２２を制御する。表示制御部１４３は、ＬＥＤの発光を制御できる。表示制御部１４３は、液晶ディスプレイに対して画像信号を出力できる。
タイマー部１４４は、時間を計測する。
【００４９】
メモリ部１４５には、美容処理装置１が動作するためのファームウェア、各種の閾値、ＥＭＳ電圧の強さを示す情報及びタイマー部１４４が計測する時間の情報が予め記憶されている。
電源制御部１４６には、ＡＣアダプタ１４８を着脱可能とする充電端子１２１ｄ（図２参照）が接続される。電源制御部１４６には、二次電池の充電回路が形成されることもある。
【００５０】
制御部１４７は、操作受付部１４２が検知したボタン群１２３の押下操作に基づいて、種々の制御を行う。例えば、制御部１４７は、ボタン群１２３が押下操作されたことに対応して、表示制御部１４３を制御する。この結果、表示部１２２のＬＥＤが点灯したり、液晶ディスプレイに種々の情報が表示されたりする。
【００５１】
制御部１４７は、タイマー部１４４を制御して、所定時間を計時させる。
例えば、制御部１４７は、タイマー部１４４に５秒を計時させる。タイマー部１４４は、５秒の計時を行ったことを制御部１４７に通知する。制御部１４７は、タイマー部１４４からの通知を受信したことに対応して、タイマー部１４４の計時を停止させる。制御部１４７は、タイマー部１４４の計時時間を０にリセットする。
【００５２】
制御部１４７は、タイマー部１４４が計測した時間に応じて、エアーポンプ１２４及び電磁弁装置１２５の動作のＯＮ・ＯＦＦやローラ電極１１２及びリング電極１１３に対するＥＭＳ電圧の印加のＯＮ・ＯＦＦを制御する。
【００５３】
制御部１４７による制御の具体例を、以下［パターン１］〜［パターン３］で示す。
［パターン１］
（１）ローラ電極１１２及びリング電極１１３へのＥＭＳ電圧の印加を５秒間ＯＮにする。これと同時に、エアーポンプ１２４の動作をＯＮにする。このとき、電磁弁装置１２５を、閉状態にする。
（２）５秒経過後に、ローラ電極１１２及びリング電極１１３へのＥＭＳ電圧の印加を５秒間ＯＦＦにする。これと同時に、エアーポンプ１２４の動作をＯＦＦにする。このとき、電磁弁装置１２５を開状態にする。
（３）ボタン群１２３が押下されるまで、上記（１）〜（２）を繰り返す。
【００５４】
［パターン２］
（１）ローラ電極１１２及びリング電極１１３へのＥＭＳ電圧の印加を５秒間ＯＮにする。これと同時に、エアーポンプ１２４の動作をＯＮにする。このとき、電磁弁装置１２５を、閉状態にする。
（２）５秒経過後に、エアーポンプ１２４の動作を５秒間ＯＦＦにする。このとき電磁弁装置１２５を開状態にする。このとき、ローラ電極１１２及びリング電極１１３へのＥＭＳ電圧の印加をＯＮのまま継続する。
（３）ボタン群１２３が押下されるまで、上記（１）〜（２）を繰り返す。
したがって、ローラ電極１１２及びリング電極１１３へのＥＭＳ電圧の印加は常時継続される。
【００５５】
［パターン３］
（１）エアーポンプ１２４の動作を５秒間ＯＮにする。このとき電磁弁装置１２５は閉状態にする。この時ローラ電極１１２及びリング電極１１３へのＥＭＳ電圧の印加をＯＦＦにする。
（２）５秒経過後に、ローラ電極１１２及びリング電極１１３へのＥＭＳ電圧の印加を５秒間ＯＮにする。これと同時に、エアーポンプ１２４の動作をＯＦＦにする。このとき、電磁弁装置１２５は閉状態のままである。
（３）さらに５秒経過後に、電磁弁装置１２５を開状態にする。
（４）ボタン群１２３が押下されるまで、上記（１）〜（３）を繰り返す。したがって、ローラ電極１１２及びリング電極１１３へのＥＭＳ電圧の印加とエアーポンプ１２４の作動が交互に繰り返される。
【００５６】
上記パターンを示す情報をメモリ部１４５に予め保持させておくことができる。上記［パターン１］〜［パターン３］または（１）〜（３），（１）〜（４）をボタン群１２３を押下することによって、順次切り替えるようにしてもよい。上記パターンを自動的に繰り返すようにしてもよい。
【００５７】
上記パターンで動作中に、ボタン群１２３が押下されたことに基づいて、制御部１４７は、ＥＭＳ駆動部１４１ａを制御して、ＥＭＳ電圧の強弱を変更させることもできる。
【００５８】
上記パターンで動作中に、ボタン群１２３によってエアーポンプ１２４の強制停止操作がされた場合、制御部１４７は、直ちに電磁弁駆動部１４１ｂを制御して、電磁弁装置１２５を開状態にさせる。同時に、制御部１４７は、エアーポンプ駆動部１４１ｃを制御して、エアーポンプ１２４を停止させる。
【００５９】
この結果、吸引カップ１００内が減圧状態のとき、電磁弁装置１２５に流入した空気が吸引カップ１００内に供給され、吸引カップ１００内の気圧が外気圧と平衡する。この結果、吸引カップ１００を肌面から速やか離すことができる。
【００６０】
（美容処理装置１の使用方法及び効果）
次に図６を用いて、美容処理装置１の使用方法及び効果について説明する。図６は、美容処理装置１の使用方法を説明する概念図である。
【００６１】
ユーザがボタン群１２３を押下することによって、美容処理装置１は、上述した［パターン１］〜［パターン３］のいずれかで動作する。
【００６２】
ユーザは、吸引カップ１００の開口１１１ｄを塞ぐように、美容処理装置１に肌面（図６のＳＫ参照）を押し付ける。このとき、リング電極１１３は、肌面と接触する。
エアーポンプ１２４の動作により、吸引カップ１００内が減圧状態となり、肌面が吸引カップ１００内に吸引される。
【００６３】
美容処理装置１では、肌が吸引される方向にローラ電極１１２が、配設されているので、肌面とローラ電極１１２とが接触する。この結果、肌にＥＭＳ電流が流れる。
【００６４】
美容処理装置１によれば、ローラ電極１１２が肌の吸引方向に配置されているので、肌面にローラ電極１１２を確実に接触させることができる。このとき、吸引された肌が、ローラ電極１１２に押し付けられる形になるので、ローラ電極１１２と肌面との接触面積を増やしやすくなる。また、ローラ電極１１２が円筒形状を有することによって、ローラ電極１１２と肌面との接触面積を増やしやすくなる。この結果、より多くの電流を吸引された肌に流すことができる。また、肌にＥＭＳ電流が流れるときに、ユーザが、ピリピリ感を覚えることを低減させることができる。
【００６５】
美容処理装置１によれば、ローラ電極１１２が、肌の吸引されている部分と接触するので、肌の吸引されている部分に、より多くの電流を流すことができる。結果として、肌の吸引されている部分に対して、吸引と電流による刺激の相乗効果を得ることができる。
詳細には、肌が吸引されることによって、吸引方向（開口１１１ｄに対して垂直方向）に筋肉も持ち上げられる。筋肉が持ち上げられると、筋肉が収縮している状態に近づく。この状態の筋肉に対してＥＭＳ電流を流すことによって、伸張して弛緩している状態の筋肉にＥＭＳ電流を流す場合に比べて、筋肉により強い負荷を与えることができる。
【００６６】
美容処理装置１によれば、枠体１１０の下面部１１０ｂが略楕円形状を有しているので、枠体１１０の下面部１１０ｂが正円状に形成されている場合に比べて、ユーザの体の細い部位に開口１１１ｄを当接させた場合でも、開口１１１ｄを塞ぎやすくなる。
【００６７】
［第２の実施形態］
次に、図７を用いて本発明の第２の実施形態に係る美容処理装置２について説明する。図７は、第２の実施形態に係る吸引カップ２００を示す斜視図である。
吸引カップ２００以外の構成については、第１の実施形態に係る美容処理装置１と同様である。したがって、ここでは、本体１２０の図示を省略する。
以下、第１の実施形態の吸引カップ１００と対応する箇所には同一の符号を付け詳細な説明は省略する。
【００６８】
第２の実施形態に係る吸引カップ２００は、２つのローラ電極１１２を備える。
【００６９】
すなわち、図７に示すように、美容処理装置２に係る吸引カップ２００は、枠体２１０、カップ本体１１１、二つのローラ電極１１２、電極１１４ａ，１１４ｂ及び電気配線２１６ａ，２１６ｂを有する。
以後、２つのローラ電極１１２を個別に説明する場合には、それぞれローラ電極２１２ａ、ローラ電極２１２ｂと呼称する。
枠体２１０は、枠体１１０と対応する。枠体２１０は、上面部１１０ａ、下面部１１０ｂ、柱部１１０ｃ，１１０ｄ及び固定部２１５ａ，２１５ｂを有する。
【００７０】
固定部２１５ａ，２１５ｂは、それぞれ固定部１１５ａ，１１５ｂに対応する。固定部２１５ａ，２１５ｂは、それぞれ柱部１１０ｃ，１１０ｄと一体的に形成されている。固定部２１５ａ，２１５ｂは、ローラ電極２１２ａ，２１２ｂが、カップ本体１１１から脱落してしまわないようにローラ電極２１２ａ，２１２ｂをそれぞれ保持する。
【００７１】
２つのローラ電極１１２は、それぞれカップ本体１１１内に配置される。ローラ電極２１２ａ，２１２ｂは、貫通孔１１０ｈ近傍に配置される。
詳細には、ローラ電極２１２ａ，２１２ｂは、それぞれ固定部２１５ａから固定部２１５ｂにかけて、貫通孔１１０ｈを横断するように配置される。ローラ電極２１２ａ，２１２ｂは互いに並行して配置される。
【００７２】
ローラ電極２１２ａ，２１２ｂは、本体部１１２ａの表面とカップ本体１１１の底面とが略面一または数［ｍｍ]程度の高低差となるように配置されることが望ましい。すなわち、ローラ電極２１２ａ，２１２ｂは、高さＨ２が略０〜３［ｍｍ］程度であることが望ましい。高さＨ２は、吸引カップ２００の底面からローラ電極２１２ａまたはローラ電極２１２ｂの本体部１１２ａの表面までの最短距離を意味する。
【００７３】
またローラ電極２１２ａ，２１２ｂは、ローラ電極２１２ａ，２１２ｂ間の長さＬ１が４０［ｍｍ］程度となるように配置されることが望ましい。長さＬ１は、ローラ電極２１２ａの本体部１１２ａの表面からローラ電極２１２ｂの本体部１１２ａの表面までの最短距離を意味する。
【００７４】
ローラ電極２１２ａ，２１２ｂをこのように配置することにより、肌にＥＭＳ電流を流したときに、ユーザがピリピリとした不快感を覚えることを低減することができる。
【００７５】
電気配線２１６ａ，２１６ｂは、電気配線１１６ａ，１１６ｂに対応する。電気配線２１６ａ，２１６ｂは、枠体２１０内に配設される。電気配線２１６ａは、電極１１４ｂを介してローラ電極２１２ａを制御基板１４０に接続する。電気配線２１６ｂは、電極１１４ａを介してローラ電極２１２ｂを制御基板１４０に接続する。
【００７６】
以上のように構成された美容処理装置２では、肌が吸引される方向にローラ電極２１２ａ，２１２ｂが、共にカップ本体１１１内に配置されているので、肌面とローラ電極２１２ａ，２１２ｂとを確実に接触させることができる。
【００７７】
［第３の実施形態］
次に、図８及び図９を用いて本発明の第３の実施形態に係る美容処理装置３について説明する。
【００７８】
図８は、第３の実施形態に係る吸引カップ３００を示す斜視図である。図９は、第３の実施形態に係る制御基板３４０の機能を示すブロック図である。
吸引カップ３００及び制御基板３４０以外の構成については、第１の実施形態に係る美容処理装置１と同様である。したがって、ここでは、本体１２０の図示を省略する。なお、以下、第１または第２の実施形態の吸引カップ１００または吸引カップ２００と対応する箇所には同一の符号を付け詳細な説明は省略する。
【００７９】
第３の実施形態に係る美容処理装置３では、ＥＭＳ電圧を印加する電極を複数の電極の中から自動的にまたはユーザの手によって適宜切り替えることができる。
【００８０】
すなわち、図８に示すように、吸引カップ３００は、枠体２１０、カップ本体１１１、三つのローラ電極１１２、リング電極１１３、一対の電極部３１４及び電気配線３１６ａ〜３１６ｄを有する。以後、３つのローラ電極１１２を個別に説明する場合には、それぞれをローラ電極３１２ａ、ローラ電極３１２ｂ、ローラ電極３１２ｃと呼称する。
【００８１】
３つのローラ電極１１２は、それぞれカップ本体１１１内に配置される。３つのローラ電極１１２は、貫通孔１１０ｈ近傍に配置される。ローラ電極３１２ａ〜３１２ｃは、それぞれ固定部２１５ａから固定部２１５ｂにかけて、貫通孔１１０ｈを横断するように配置される。
【００８２】
３つのローラ電極１１２は、それぞれの中心部が仮想的な三角形の頂点に位置するように配設される。
例えば、ローラ電極３１２ａ，３１２ｂは、高さＨ３が０〜３［ｍｍ］程度となるように配置される。高さＨ３は、吸引カップ３００のリング電極１１３の底面からローラ電極３１２ａまたはローラ電極３１２ｂの本体部１１２ａの表面までの最短距離を意味する。
【００８３】
またローラ電極３１２ａ，３１２ｂは、ローラ電極２１２ａ，２１２ｂ間の長さＬ２が、４０［ｍｍ］程度となるように配置される。長さＬ２は、ローラ電極３１２ａの本体部１１２ａの表面からローラ電極３１２ｂの本体部１１２ａの表面までの最短距離を意味する。
【００８４】
ローラ電極３１２ｃは、高さＨ４が、５〜１０［ｍｍ］程度となるように配設される。高さＨ４は、吸引カップ３００のリング電極１１３の底面から本体部１１２ａの表面までの最短距離を意味する。
【００８５】
ローラ電極２１２ａ〜２１２ｃをこのように配置することにより、肌にＥＭＳ電流を流したときに、ユーザがピリピリとした不快感を覚えることを低減することができる。
【００８６】
一対の電極部３１４は、それぞれ制御基板３４０（図９参照）と接続される接続端子３１４ａ〜３１４ｄを備える。
電気配線３１６ａ〜３１６ｄは、枠体２１０内に配設される。電気配線３１６ａは、接続端子３１４ａを介してローラ電極３１２ａを制御基板３４０に接続する。同様に電気配線３１６ｂ〜３１６ｄは、接続端子３１４ｂ〜３１４ｄを介してローラ電極３１２ｂ〜リング電極１１３を制御基板３４０にそれぞれ接続する。
【００８７】
図９に示すように制御基板３４０は、動作制御部３４１、操作受付部１４２、表示制御部１４３、タイマー部１４４、メモリ部１４５、電源制御部１４６及びこれらを制御する制御部３４７を有する。
【００８８】
制御基板３４０は、エアーポンプ１２４及び電磁弁装置１２５の駆動のＯＮ・ＯＦＦの制御を行う。制御基板３４０は、ローラ電極３１２ａ〜３１２ｃ及びリング電極１１３へのＥＭＳ電圧の印加を制御する。
動作制御部３４１は、ＥＭＳ駆動部１４１ａ、電磁弁駆動部１４１ｂ、エアーポンプ駆動部１４１ｃ及び中継部３４２を備える。
【００８９】
中継部３４２はトランジスタやコンデンサなどによって構成されるリレー回路を備える。中継部３４２は、制御部３４７に制御されて、ＥＭＳ駆動部１４１ａに接続される電極（ローラ電極３１２ａ〜３１２ｃ及びリング電極１１３）のペアを切り替える。例えば、ローラ電極３１２ａ及びリング電極１１３が、ＥＭＳ電圧を印加される一対の電極として選ばれる。
【００９０】
制御部３４７は、ローラ電極３１２ａ〜３１２ｃ及びリング電極１１３の内の一対の電極を所定時間毎（例えば数秒毎）に切り替えるように中継部３４２を制御する。ボタン群１２３を操作することで、一対の電極を選択できるように構成してもよい。
【００９１】
以上のように構成された美容処理装置３では、肌が吸引される方向に３つのローラ電極１１２が配設されているので、肌面を３つのローラ電極１１２のうちの少なくとも１つに確実に接触させることができる。
【００９２】
美容処理装置３によれば、ＥＭＳ駆動部１４１ａに対して接続されるローラ電極３１２ａ〜３１２ｃ及びリング電極１１３の内の一対の電極を切り替えることによって被施術差の肌に種々の方向からＥＭＳ電流を流すことができる。この結果、筋肉が複雑に振動する。このことにより筋肉に十分な刺激を与えることが可能となる。
【００９３】
［第４の実施形態］
次に、図１０〜図１３を用いて本発明の第４の実施形態に係る美容処理装置４について説明する。図１０は、第４の実施形態に係る吸引カップ４００の一部を拡大して示す斜視図である。図１１は、第４の実施形態に係る保持筐体４５０ａを正面から見た正面図である。図１２は、図１１のＣ−Ｃ断面図である。図１３は、図１０の切断線Ｄ−Ｄに沿った、ローラ電極４１２の断面図である。
【００９４】
以下、第１〜第３の実施形態の吸引カップ１００〜３００と対応する箇所には同一の符号を付け詳細な説明は省略する。また以下、図を見やすくするため枠体１１０やリング電極１１３などの図示を省略する。
【００９５】
第４の実施形態に係る美容処理装置４では、肌に接触するローラ電極４１２が移動可能に設けられる。
【００９６】
図１０及び図１１に示すように、吸引カップ４００は、カップ本体１１１、三つのローラ電極４１２及び電極保持部４５０を有する。以後、３つのローラ電極４１２を個別に説明する場合には、それぞれローラ電極４１２ａ、ローラ電極４１２ｂ及びローラ電極４１２ｃと呼称する。
【００９７】
カップ本体１１１には、互いに対向配置された矩形の窓部４１１ａ及び４１１ｂが形成される。同様に、カップ本体１１１には、それぞれ対向配置された矩形の窓部４１１ｃ及び４１１ｆが形成される。
【００９８】
電極保持部４５０は、保持筐体４５０ａ〜４５０ｆを備える。保持筐体４５０ａ〜４５０ｆは、例えば金属によって形成される。
保持筐体４５０ａ、４５０ｃ及び４５０ｅは、図示を省略した配線によってそれぞれ制御基板１４０と接続される。
【００９９】
保持筐体４５０ａ〜４５０ｆは、窓部４１１ａ〜４１１ｆを覆うようにカップ本体１１１にそれぞれ設けられる。保持筐体４５０ａ〜４５０ｆによって、窓部４１１ａ〜４１１ｆは密封される。
保持筐体４５０ａ及び４５０ｂは、長手方向がカップ本体１１１の長手方向に沿うようカップ本体１１１にそれぞれ設けられる。保持筐体４５０ｃ，４５０ｄ及び保持筐体４５０ｅ，４５０ｆは、長手方向がカップ本体１１１の長手方向に直交する方向に沿うようにカップ本体１１１にそれぞれ設けられる。
【０１００】
保持筐体４５０ａ〜４５０ｆは、一部の面が窓部４１１ａ〜４１１ｆからカップ本体１１１内にそれぞれ露出する。保持筐体４５０ａ，４５０ｂは互いに対向して配置される。同様に保持筐体４５０ｃ，４５０ｄ及び保持筐体４５０ｅ，４５０ｆは互いに対向して配置される。
【０１０１】
保持筐体４５０ａ及び４５０ｂは、ローラ電極４１２ａを両側から挟むようにして保持する。同様に保持筐体４５０ｃ，４５０ｄ及び保持筐体４５０ｅ，４５０ｆは、ローラ電極４１２ｂ，４１２ｃを両側から挟むようにしてそれぞれ保持する。
【０１０２】
図１１及び図１２に示すように、保持筐体４５０ａは、カップ本体１１１内に露出する表面４５１を有する。表面４５１には、溝部４５２が形成される。溝部４５２の開口４５２ａは、保持筐体４５０ａ内の溝部４５２よりも保持筐体４５０ａの短手方向に狭くなっている（図１１の幅ｗ１参照）。
【０１０３】
図１２に示すように、溝部４５２は、平坦部４５２ｂ及び斜面部４５２ｃを有する。斜面部４５２ｃは、平坦部に対して１０°程傾斜している。
保持筐体４５０ｂ〜４５０ｆは、保持筐体４５０ａと同様の構成を有するのでここでは詳細な説明は省略する。
【０１０４】
図１３に示すように３つのローラ電極４１２は、それぞれ本体部４１３、軸部４１４，４１５及びばね４１６，４１７を備える。
本体部４１３は、円筒状に形成される。本体部４１３は、側面４１３ａ及びこの側面４１３ａの反対側の側面４１３ｂを有する。
本体部４１３には、側面４１３ａの略中央部に開口する空間４１３ｃが、本体部４１３の長手方向に沿って形成される。同様に本体部４１３には、側面４１３ｂの略中央部に開口する空間４１３ｄが、本体部４１３の長手方向に沿って形成される。
【０１０５】
空間４１３ｃ及び空間４１３ｄには、それぞればね４１６，４１７が配置される。空間４１３ｃには、軸部４１４の一端が挿入される。同様に空間４１３ｄには、軸部４１５の一端が挿入される。
【０１０６】
軸部４１４は、棒状に形成されている。軸部４１４の空間４１３ｃに挿入される一端側には、フランジ４１４ａが、本体部４１３の側面４１３ａの面方向に沿って突設される。
軸部４１４の他端側は、保持筐体４５０ａ（保持筐体４５０ｂ〜４５０ｆ）の溝部４５２に挿入される。軸部４１４の他端側は、保持筐体４５０ａ（保持筐体４５０ｂ〜４５０ｆ）の溝部の底面（平坦部４５２ｂ及び斜面部４５２ｃが形成された面）との摩擦を軽減するために、この底面側に膨らむ曲面が形成されている。軸部４１４の他端側には、曲面を囲うようにフランジ４１４ｂが形成される。なお、摩擦の低減のためにグリスを用いてもよい。
【０１０７】
フランジ４１４ａは、空間４１３ｃの開口の径よりも大きな径を有している。このことにより、軸部４１４の一端部が空間４１３ｃから脱落してしまうことを防止することができる。
フランジ４１４ｂは、溝部４５２の開口４５２ａの幅ｗ１よりも大きな径を有している。このことにより、保持筐体４５０ａ〜４５０ｆに挿入された軸部４１４の他端部が、保持筐体４５０ａ〜４５０ｆから脱落してしまうことを防止することができる。
【０１０８】
軸部４１５は、軸部４１４と略同様の構成を有する。すなわち、軸部４１５はフランジ４１４ａと対応するフランジ４１５ａ，４１５ｂを有する。
ばね４１６は、軸部４１４を常に保持筐体４５０ａ（保持筐体４５０ｃ，保持筐体４５０ｅ）の方向に押す。同様に、ばね４１７は、軸部４１５を常に保持筐体４５０ｂ（保持筐体４５０ｄ，保持筐体４５０ｆ）方向に押す。ばね４１６は、特に限定されず、例えばコイルスプリングや板バネなどを適用できる。
【０１０９】
（ローラ電極４１２の移動について）
次に図１４を用いて、ローラ電極４１２が移動することについて説明する。図１４は、ローラ電極４１２が移動することを説明する概略図である。なお、ここでは保持筐体４５０ａ，４５０ｂ及びローラ電極４１２ａを例に説明する。
ローラ電極４１２は初期位置として、保持筐体４５０ａ，４５０ｂの平坦部４５２ｂと接触する位置に配置される。
【０１１０】
エアーポンプ１２４の駆動によって肌面（図１４の「ＳＫ」）が吸引されると、肌面とローラ電極４１２ａの本体部４１３が接触する。エアーポンプ１２４の駆動が継続されると肌面に押圧されて、ローラ電極４１２ａは、斜面部４５２ｃの方に移動する。
【０１１１】
軸部４１４，４１５が、斜面部４５２ｃに接触した場合、斜面部４５２ｃによって軸部４１４，４１５がそれぞれ本体部４１３の中心方向に押されて、ばね４１６，４１７が空間４１３ｃ，４１３ｄ内でそれぞれ縮む。結果として、軸部４１４，４１５が空間４１３ｃ，４１３ｄ内にそれぞれ入り込む。このようにして、ローラ電極４１２ａは、肌面に押されて溝部４５２に沿って移動する。
【０１１２】
ローラ電極４１２ａが固定されていた場合、ローラ電極４１２ａによって、相対的に吸引方向とは逆の方向に肌が押されて、ユーザが痛みを感じることがあった。
この実施形態に係る美容処理装置４によれば、肌の吸引に合わせてローラ電極４１２ａが移動することにより、ユーザが痛みを感じることを防止することができる。
【０１１３】
また、ローラ電極４１２ａが移動中、ばね４１６，４１７の復元力によって軸部４１４，４１５は、それぞれが接触する斜面部４５２ｃ方向に押される。ことによって、斜面部４５２ｃと軸部４１４，４１５との間に適度な抵抗が生まれる。結果として、ローラ電極４１２ａを肌面にしっかりと接触させることができる。
【０１１４】
以上、ローラ電極４１２が保持筐体４５０ａ，４５０ｂの溝部４５２に沿って移動することについて説明したが、保持筐体４５０ｃ，４５０ｄ（保持筐体４５０ｅ，４５０ｆ）及びローラ電極４１２ｂ（ローラ電極４１２ｃ）についても同様である。
【０１１５】
以上、第１〜第４の実施形態を具体的に説明したが、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【０１１６】
例えば、カップ本体１１１の形状は、特に限定されず、ドーム部１１１ｂなどを備えない形状でもよい。枠体１１０、２１０を備えないように構成することもできる。この場合、電気配線１１６ａ，１１６ｂなどは、カップ本体１１１の表面または内部に配線される。各美容処理装置１〜４が、１〜４［ＭＨｚ］で発振する発振回路を備えてもよい。
【０１１７】
第４の実施形態の美容処理装置４が、中継部３４２を備えるようにしてもよい。
軸部４１４，４１５の先端に金属製の球体を転動可能に設けてもよい。このことによって、溝部４５２との間の摩擦が低減されローラ電極４１２が溝部４５２に沿ってスムーズに移動する。そして、この場合、斜面部４５２ｃに移動したローラ電極４１２は、ばね４１６，４１７の復元力によって自動的に平坦部４５２ｂに復帰する。
【０１１８】
したがって、カップ本体１１１に吸引された肌が、吸引前の元の状態に戻るときに、ローラ電極４１２は、この肌に追従して平坦部４５２ｂに復帰する。結果として、肌が吸引前の元の状態に戻るまで、この肌にＥＭＳ電流を流すことができる。
【０１１９】
また、図１５に示すように、ローラ電極４１２及び電極保持部４５０の構成を適宜変更してもよい。図１５は、ローラ電極４１２及び保持筐体４５０ａ〜４５０ｆの変更例を示す概略図である。
図１５に示すように、ローラ電極４１２の変更例であるローラ電極５１２ａには、空間４１３ｃ，４１３ｄが形成されない。したがって、ローラ電極４１２は、ばね４１６，４１７を有しない。ローラ電極５１２ａは、本体部４１３と軸部４１４，４１５が一体的に形成されている。
【０１２０】
保持筐体４５０ａ，４５０ｂの変更例である保持筐体５５０ａ，５５０ｂには、斜面部４５２ｃが形成されていない。保持筐体５５０ａ，５５０ｂは、溝部４５２の長手方向に伸縮するばね５１６，５１７をそれぞれ有する。
ばね５１６，５１７は、軸部４１４，軸部４１５にそれぞれ接続される。
【０１２１】
この変更例では、ローラ電極５１２ａが肌面に押されて移動しても、ばね５１６，５１７の復元力によって、自動的にローラ電極５１２ａを元の位置に復帰させることができる。保持筐体４５０ｃ〜４５０ｆについても同様に構成を変更することができる。なお、ばね５１６，５１７は、溝部４５２内であれば、どこに配置してもよい。
【０１２２】
[その他の変形例]
吸引カップ１００及び本体１２０を一体的に形成してもよい。吸引カップ１００及び本体１２０を含めた外観形状が、略Ｌ字状となるように構成することもできる。壁部１１１ｅの形成箇所を適宜変更してもよい。
リング電極１１３に替えて、下面部１１０ｂの形状に対応するＵ字状の２つの電極を下面部１１０ｂに配置してもよい。この場合、中継部３４２によって電極のペアとしてＵ字状の２つの電極も選択されるようにしてもよい。
【符号の説明】
【０１２３】
１〜４…美容処理装置、１００〜３００…吸引カップ、１１０…枠体、１１１…カップ本体、１１２…ローラ電極、１１３…リング電極、１２０…吸引カップ、１２０…本体、１２１…筐体、１２２…表示部、１２３…ボタン群、１２４…エアーポンプ、１２５…電磁弁装置、１２６…三又管、１２７…フィルタ、１２７…フィルタ、１３０…吸引カップ接続部、１３１…当接用凹部、１３２…吸引カップ固定部、１３３…フィルタ収容部、１３４…管挿入部、１４０…制御基板、１４１…動作制御部、１４２…操作受付部、１４３…表示制御部、１４４…タイマー部、１４５…メモリ部、１４６…電源制御部、１４７…制御部、１４８…アダプタ、２００…吸引カップ、２１０…枠体、２１２…ローラ電極、２１５ａ…固定部、２１５ａ，２１５ｂ…固定部、２１５ｂ…固定部、３４０…制御基板、３４１…動作制御部、３４２…中継部、３４７…制御部、４００…吸引カップ、４１２…ローラ電極、４１４…軸部、４１５…軸部、４５０…電極保持部。
【図１】
2016016030.tif 000003
【図２】
2016016030.tif 000004
【図３】
2016016030.tif 000005
【図４】
2016016030.tif 000006
【図５】
2016016030.tif 000007
【図６】
2016016030.tif 000008
【図７】
2016016030.tif 000009
【図８】
2016016030.tif 000010
【図９】
2016016030.tif 000011
【図１０】
2016016030.tif 000012
【図１１】
2016016030.tif 000013
【図１２】
2016016030.tif 000014
【図１３】
2016016030.tif 000015
【図１４】
2016016030.tif 000016
【図１５】
2016016030.tif 000017